(57)【要約】  本発明は：ユーザ装置(ＵＥ)によって、共通サブフレームの番号を決定する段階として、前記共通サブフレームの番号全部は、ＰＣＣ(Ｐｒｉｍａｒｙ Ｃｏｍｐｏｎｅｎｔ Ｃａｒｒｉｅｒ)及びＳＣＣ(Ｓｅｃｏｎｄａｒｙ Ｃｏｍｐｏｎｅｎｔ Ｃａｒｒｉｅｒ)のフレーム構造構成によるフレーム構造構成でどんな無線フレームのＰＣＣ及びＳＣＣサブフレームのアップリンクサブフレームであることを特徴とする、決定する段階；前記ユーザ装置によって、構成を選択する段階として、選択された構成のアップリンクサブフレームは単に既存の７種類のフレーム構造構成から決定された共通サブフレームに対応するサブフレームを含むことを特徴とする、選択する段階；及び前記ユーザ装置によって、基地局(ｅＮＢ)で、前記選択された構成に対応するＡＣＫ／ＮＡＣＫ及びＰＤＳＣＨ(Ｐｈｙｓｉｃａｌ Ｄｏｗｎｌｉｎｋ Ｓｈａｒｅｄ Ｃｈａｎｎｅｌ)の間のタイミング関係を適用する前記ＰＣＣ上の前記ＳＣＣでＰＤＳＣＨに対応するＡＣＫ／ＮＡＣＫ情報をフィードバックする段階；を含む。  本発明のＡＣＫ／ＮＡＣＫフィードバック方法で、ユーザ装置(ＵＥ)はＣＣの構成されたフレーム構造構成によるＡＣＫ／ＮＡＣＫを適応的にフィードバックすることができ、相違するフレーム構造構成の帯域の間のキャリアアグリゲーション(ｃａｒｒｉｅｒ ａｇｇｒｅｇａｔｉｏｎ)が効果的にサポートされ、相違する通信システムの共存及び性能最適化がユーザ装置の増幅器の数を制限せず具現されることができる。
2014529222.tif 000002
【特許請求の範囲】
【請求項１】
無線通信システムで肯定応答(ＡＣＫ；Ａｃｋｎｏｗｌｅｄｇｅｍｅｎｔ)／否定応答(ＮＡＣＫ；Ｎｏｎ Ａｃｋｎｏｗｌｅｄｇｅｍｅｎｔ)をフィードバックするための方法であって、
ユーザ装置(ＵＥ；Ｕｓｅｒ Ｅｑｕｉｐｍｅｎｔ)によって、共通サブフレームの番号を決定する段階として、前記共通サブフレームの番号全部は、ＰＣＣ(プライマリーコンポーネントキャリア、Ｐｒｉｍａｒｙ Ｃｏｍｐｏｎｅｎｔ Ｃａｒｒｉｅｒ)及びＳＣＣ(セカンダリーコンポーネントキャリア、Ｓｅｃｏｎｄａｒｙ Ｃｏｍｐｏｎｅｎｔ Ｃａｒｒｉｅｒ)のフレーム構造構成によるフレーム構造構成でどんな無線フレームのＰＣＣ及びＳＣＣサブフレームのアップリンクサブフレームであることを特徴とする、決定する段階；
前記ユーザ装置によって、構成を選択する段階として、選択された構成のアップリンクサブフレームは単に既存の７種類のフレーム構造構成から決定された共通サブフレームに対応するサブフレームを含むことを特徴とする、選択する段階；
前記ユーザ装置によって、基地局(ｅＮＢ；Ｅｖｏｌｖｅｄ ＮｏｄｅＢ)で、前記選択された構成に対応するＡＣＫ／ＮＡＣＫ及びＰＤＳＣＨ(物理ダウンリンク共有チャンネル、Ｐｈｙｓｉｃａｌ Ｄｏｗｎｌｉｎｋ Ｓｈａｒｅｄ Ｃｈａｎｎｅｌ)の間のタイミング関係を適用する前記ＰＣＣ上の前記ＳＣＣでＰＤＳＣＨに対応するＡＣＫ／ＮＡＣＫ情報をフィードバックする段階；
を含む無線通信システムで肯定応答／否定応答をフィードバックするための方法。
【請求項２】
前記ユーザ装置によって、前記基地局で、前記選択された構成に対応するＡＣＫ／ＮＡＣＫ及びＰＤＳＣＨの間のタイミング関係を適用する前記ＰＣＣ上の前記ＰＣＣで前記ＰＤＳＣＨに対応するＡＣＫ／ＮＡＣＫ情報をフィードバックする段階；
をさらに含むことを特徴とする、請求項１に記載の無線通信システムで肯定応答／否定応答をフィードバックするための方法。
【請求項３】
前記ユーザ装置によって、前記基地局で、前記ＰＣＣのフレーム構造構成に対応するＡＣＫ／ＮＡＣＫ及びＰＤＳＣＨの間のタイミング関係を適用する前記ＰＣＣ上の前記ＰＣＣで前記ＰＤＳＣＨに対応するＡＣＫ／ＮＡＣＫ情報をフィードバックする段階；
をさらに含むことを特徴とする、請求項１に記載の無線通信システムで肯定応答／否定応答をフィードバックするための方法。
【請求項４】
ユーザ装置によって決定されたダウンリンクデータサブフレームのバンドルされたウインドウがアップリンクデータサブフレームを含むとき、
アップリンクデータサブフレームに対応するＡＣＫ／ＮＡＣＫをＤＴＸ(不連続送信 Ｄｉｓｃｏｎｔｉｎｕｏｕｓ Ｔｒａｎｓｍｉｓｓｉｏｎ)状態にマッピングさせたり、或いはどんなＡＣＫ／ＮＡＣＫ情報もフィードバックしない段階、
をさらに含むことを特徴とする、請求項２又は３に記載の無線通信システムで肯定応答／否定応答をフィードバックするための方法。
【請求項５】
ユーザ装置が２以上のＰＣＣから構成されるとき、ユーザ装置によって、共通サブフレームの番号を決定する段階の前、前記ＰＣＣ全部はフレーム構成構成で無線フレームのＰＣＣ及びどんなＳＣＣサブフレームでアップリンクサブフレームであり、
前記基地局によって、前記端末にＲＲＣ(無線資源制御、Ｒａｄｉｏ Ｒｅｓｏｕｒｃｅ Ｃｏｎｔｒｏｌ)シグナリングを通じてＡＣＫ／ＮＡＣＫをフィードバックするためのＰＣＣの番号を通知する段階と、
をさらに含むことを特徴とする、請求項１に記載の無線通信システムで肯定応答／否定応答をフィードバックするための方法。
【請求項６】
前記ユーザ装置によって、構成を選択する段階として、選択された構成のアップリンクサブフレームは単に既存の７種類のフレーム構造構成から決定された共通サブフレームに対応するサブフレームを含むことを特徴とする、選択する段階は、
前記フレーム構造構成のどんな無線フレームで、２個のアップリンク及びダウンリンクサブフレームスイッチングポイントを含む１つの構成が第１クラスの構成であり、他の構成が第２クラスの構成であれば、２種類のユーザ装置の構成は構成Ａ及び構成Ｂであることを特徴とし、
前記ユーザ装置によって、構成Ａ及び構成Ｂが同一クラスの構成に属し、構成Ａでアップリンクサブフレームの部分が構成Ｂのアップリンクサブフレームの部分より大きいとき、構成Ｂを選択し、
前記ユーザ装置によって、構成Ａ及び構成Ｂが同一クラスの構成に属せず、構成Ａ及び構成Ｂのうちの一方が構成０であるとき、構成Ａ及び構成Ｂで構成０を除いた他方の構成を選択し、
前記ユーザ装置によって、構成Ａ及び構成Ｂが同一クラスの構成に属せず、構成Ａ及び構成Ｂ両者が構成０であり、構成Ａ及び構成Ｂのうちの一方が構成６であるとき、構成Ａ及び構成Ｂで構成６を除いた他方の構成を選択し、
前記ユーザ装置によって、構成Ａ及び構成Ｂが同一クラスの構成に属しないで、構成Ａ及び構成Ｂのうちの一方が構成５であるとき、構成５を選択し、
前記ユーザ装置によって、構成Ａ及び構成Ｂが、構成１、構成３であるか、或いは構成１、構成４であるとき、構成４を選択し、さらに、
前記ユーザ装置によって、構成Ａ及び構成Ｂが構成２、構成３であるか、或いは構成２、構成４であるとき、構成５を選択することを特徴とする、請求項１に記載の無線通信システムで肯定応答／否定応答をフィードバックするための方法。
【請求項７】
無線通信システムで肯定応答(ＡＣＫ；Ａｃｋｎｏｗｌｅｄｇｅｍｅｎｔ)／否定応答(ＮＡＣＫ；Ｎｏｎ Ａｃｋｎｏｗｌｅｄｇｅｍｅｎｔ)をフィードバックするための方法であって、
基地局(ｅＮＢ；Ｅｖｏｌｖｅｄ ＮｏｄｅＢ)によってユーザ装置(ＵＥ；Ｕｓｅｒ Ｅｑｕｉｐｍｅｎｔ)に、上位レベルシグナリングを通じてＰＣＣ(プライマリーコンポーネントキャリア、Ｐｒｉｍａｒｙ Ｃｏｍｐｏｎｅｎｔ Ｃａｒｒｉｅｒ)及びあらゆるＳＣＣ(セカンダリーコンポーネントキャリア、Ｓｅｃｏｎｄａｒｙ Ｃｏｍｐｏｎｅｎｔ Ｃａｒｒｉｅｒ)の構成された情報を通知する段階として、前記ユーザ装置の前記ＰＣＣ及びあらゆるＳＣＣの構成された情報は前記ユーザ装置に対して構成された各ＣＣ(Ｃｏｍｐｏｎｅｎｔ Ｃａｒｒｉｅｒ)のフレーム構造構成を含み、ＰＣＣ及びあらゆるＳＣＣの番号をさらに含む、通知する段階と、
前記ユーザ装置によって、前記基地局から送信されたＰＣＣ及びあらゆるＳＣＣのフレーム構造構成の情報によって、フレーム構造構成を決定する段階と、及び
前記ユーザ装置によって、前記基地局で、前記決定されたフレーム構造構成によってＡＣＫ／ＮＡＣＫとＰＤＳＣＨ(物理ダウンリンク共有チャンネル、Ｐｈｙｓｉｃａｌ Ｄｏｗｎｌｉｎｋ Ｓｈａｒｅｄ Ｃｈａｎｎｅｌ)の間のタイミング関係を適用するＰＣＣ上のＳＣＣで、ＰＤＳＣＨに対応するＡＣＫ／ＮＡＣＫ情報をフィードバックする段階；
を含む無線通信システムで肯定応答／否定応答をフィードバックするための方法。
【請求項８】
前記ユーザ装置によって、前記基地局から送信されたＰＣＣ及びあらゆるＳＣＣのフレーム構造構成の情報によって、フレーム構造構成を決定する段階は、
前記フレーム構造構成のどんな無線フレームで、２個のアップリンク及びダウンリンクサブフレームスイッチングポイントを含む１つの構成が第１クラスの構成であり、他の構成が第２クラスの構成であれば、２種類のユーザ装置の構成は構成Ａ及び構成Ｂであることを特徴とし、
前記ユーザ装置によって、構成Ａ及び構成Ｂが同一クラスの構成に属し、構成Ａでアップリンクサブフレームの部分が構成Ｂのアップリンクサブフレームの部分より大きいとき、構成Ｂと決定し、
前記ユーザ装置によって、構成Ａ及び構成Ｂが同一クラスの構成に属せず、構成Ａ及び構成Ｂのうちの一方が構成０であるとき、構成Ａ及び構成Ｂで構成０を除いた他方の構成と決定し、
前記ユーザ装置によって、構成Ａ及び構成Ｂが同一クラスの構成に属せず、構成成Ａ及び構成Ｂ両者が構成０であり、構成Ａ及び構成Ｂのうちの一方が構成６であるとき、構成Ａ及び構成Ｂで構成６を除いた他方の構成と決定し、
前記ユーザ装置によって、構成Ａ及び構成Ｂが同一クラスの構成に属せず、構成Ａ及び構成Ｂのうちの一方が構成５であるとき、構成５と決定し、
前記ユーザ装置によって、構成Ａ及び構成Ｂが、構成１及び構成３であるか、或いは構成１及び構成４であるとき、構成４を選択し、さらに、
前記ユーザ装置によって、構成Ａ及び構成Ｂが構成２、構成３であるか、或いは構成２、構成４であるとき、構成５を選択することを含むことを特徴とする、請求項７に記載の無線通信システムで肯定応答／否定応答をフィードバックするための方法。
【請求項９】
前記ユーザ装置によって、前記基地局で、前記決定された構成に対応するＡＣＫ／ＮＡＣＫ及びＰＤＳＣＨの間のタイミング関係を適用する前記ＰＣＣ上の前記ＰＣＣで前記ＰＤＳＣＨに対応するＡＣＫ／ＮＡＣＫ情報をフィードバックする段階、
をさらに含むことを特徴とする、請求項７に記載の無線通信システムで肯定応答／否定応答をフィードバックするための方法。
【請求項１０】
前記ユーザ装置によって、前記基地局で、前記ＰＣＣのフレーム構造構成に対応するＡＣＫ／ＮＡＣＫ及びＰＤＳＣＨの間のタイミング関係を適用する前記ＰＣＣ上の前記ＰＣＣで前記ＰＤＳＣＨに対応するＡＣＫ／ＮＡＣＫ情報をフィードバックする段階、
をさらに含むことを特徴とする、請求項７に記載の無線通信システムで肯定応答／否定応答をフィードバックするための方法。
【請求項１１】
ユーザ装置によって決定されたダウンリンクデータサブフレームのバンドルされたウインドウがアップリンクデータサブフレームを含むとき、
アップリンクデータサブフレームに対応するＡＣＫ／ＮＡＣＫをＤＴＸ(不連続送信 Ｄｉｓｃｏｎｔｉｎｕｏｕｓ Ｔｒａｎｓｍｉｓｓｉｏｎ)状態にマッピングさせたり、或いはどんなＡＣＫ／ＮＡＣＫ情報もフィードバックしない段階；
をさらに含むことを特徴とする、請求項９又は１０に記載の無線通信システムで肯定応答／否定応答をフィードバックするための方法。
【発明の詳細な説明】
【技術分野】
【０００１】
本発明はモバイル通信技術分野に関し、特に無線通信システムで肯定応答(ＡＣＫ；Ａｃｋｎｏｗｌｅｄｇｅｍｅｎｔ)／否定応答(ＮＡＣＫ；Ｎｏｎ Ａｃｋｎｏｗｌｅｄｇｅｍｅｎｔ)フィードバック方法に関する。
【背景技術】
【０００２】
３ＧＰＰ(３ｒｄ Ｇｅｎｅｒａｔｉｏｎ Ｐａｒｔｎｅｒｓｈｉｐ Ｐｒｏｊｅｃｔ)ＬＴＥ(Ｌｏｎｇ Ｔｅｒｍ Ｅｖｏｌｕｔｉｏｎ)標準で、ダウンリンク送信技術は直交周波数分割多重化(ＯＦＤＭ；Ｏｒｔｈｏｇｏｎａｌ Ｆｒｅｑｕｅｎｃｙ Ｄｉｖｉｓｉｏｎ Ｍｕｌｔｉｐｌｅｘｉｎｇ)に基づく。さらに、アップリンク送信技術は単一キャリア周波数分割多重接続(ＳＣ-ＦＤＭＡ；Ｓｉｎｇｌｅ−Ｃａｒｒｉｅｒ Ｆｒｅｑｕｅｎｃｙ Ｄｉｖｉｓｉｏｎ Ｍｕｌｔｉｐｌｅ Ａｃｃｅｓｓ)に基づく。
【０００３】
ＬＴＥシステムは、２個の形式のフレーム構造、即ち、周波数分割複信(ＦＤＤ；Ｆｒｅｑｕｅｎｃｙ-Ｄｉｖｉｓｉｏｎ Ｄｕｐｌｅｘ)が適用されるフレーム構造形式１と、時間分割二重化(ＴＤＤ；Ｔｉｍｅ Ｄｉｖｉｓｉｏｎ Ｄｕｐｌｅｘ)が適用されるフレーム構造形式２を利用する。フレーム構造形式２は７種類のフレーム構造構成を含む。各種類のフレーム構造構成でダウンリンクサブフレームの部分は固定され、これは４０％から９０%までの範囲である。図１に示したように、各無線フレームは１０個の無線サブフレームから構成され、０から順に番号が付与されることを図１から明らかに認識されることができる。構成０は、例えば次のように取られる：
【０００４】
サブフレーム０及びサブフレーム５は、ダウンリンクデータを送信するために使用される。即ち、サブフレーム０及びサブフレーム５はＵＥ(Ｕｓｅｒ Ｅｑｕｉｐｍｅｎｔ)に情報を送信するためにｅＮＢ(Ｅｖｏｌｖｅｄ ＮｏｄｅＢ)によって使用される。
【０００５】
サブフレーム２、３及び４とサブフレーム７、８及び９はアップリンクデータを送信するために使用される。即ち、サブフレーム２、３及び４とサブフレーム７、８及び９はｅＮＢに情報を送信するためにＵＥによって使用される。
【０００６】
サブフレーム１及びサブフレーム６は特別サブフレームで知られている。これは３個の特別時間スロットから構成される。３個の特別時間スロットはダウンリンクパイロット時間スロット(ＤｗＰＴＳ；Ｄｏｗｎｌｉｎｋ Ｐｉｌｏｔ Ｔｉｍｅ Ｓｌｏｔ)、ガード区間(ＧＰ；Ｇｕａｒｄ Ｐｅｒｉｏｄ)及びアップリンクパイロット時間スロット(ＵｐＰＴＳ；Ｕｐｌｉｎｋ Ｐｉｌｏｔ Ｔｉｍｅ Ｓｌｏｔ)にそれぞれ定義される。ダウンリンクパイロット時間スロット、ガード区間及びアップリンクパイロット時間スロットの時間の長さは多様である。時間の長さの特定値はシステムによって構成される。特別サブフレームはダウンリンクデータを送信するために使用され、トランケイテットされた(ｔｒｕｎｃａｔｅｄ)ダウンリンクサブフレームとして見なされることができる。
【０００７】
ＬＴＥシステムの以後の進化はＬＴＥ-Ａと呼ばれる「ＬＴＥ-Ａｄｖａｎｃｅｄ」として知られている。ＬＴＥ-Ａの目的はＩＴＵによって発展したＩＭＴ-Ａｄｖａｎｃｅｄ(Ｉｎｔｅｒｎａｔｉｏｎａｌ Ｍｏｂｉｌｅ Ｔｅｌｅｃｏｍｍｕｎｉｃａｔｉｏｎｓ-Ａｄｖａｎｃｅｄ)のシステム要求事項を満足するものである。ＩＭＴ-Ａｄｖａｎｃｅｄの目的は強化されたデータレート(ｄａｔａ ｒａｔｅ)、他のシステムと相互運用性／互換性、全世界的にローミングされることができる特徴(ｗｏｒｌｄｗｉｄｅ ｒｏａｍｉｎｇ ｃｈａｒａｃｔｅｒｉｓｔｉｃｓ)などをさらに含む。ダウンリンクのためのデータレートの目標は１Ｇｂｐｓであり、アップリンクのためのデータレートの目標は５００Ｍｂｐｓである。
【０００８】
上述した目的に基づいて、キャリアアグリゲーション(ＣＡ；Ｃａｒｒｉｅｒ Ａｇｇｒｅｇａｔｉｏｎ)のコンセプトはＬＴＥバージョン１０で紹介される。無線資源のスペクトラム効率は多重の連続された、或いは不連続されたキャリアを最大１００Ｍｈｚまでシステム帯域幅で結合させることによって、さらにＬＴＥ-Ａアップリンク及びダウンリンクで適用される多重入力多重出力(ＭＩＭＯ；Ｍｕｌｔｉｐｌｅ-Ｉｎｐｕｔ Ｍｕｌｔｉｐｌｅ-Ｏｕｔｐｕｔ)技術を利用することによってより向上する。ＬＴＥバージョン１０のシステムは予めＩＭＴ-Ａｄｖａｎｃｅｄのシステム要求事項を満足させることができる。しかし、実際ネットワーク配置及びシステム作動で大部分の場合、スペクトラム競争及び散らばって利用可能なスペクトラムはそういう大きいスケールの連続されたスペクトラム結合を非現実的に作る。ＬＴＥバージョン１０のシステムのターゲットピークレートを得るために、未来にシステムは不連続されたスペクトラム割り当て及び帯域幅結合に適用すべきである。不連続スペクトラム結合は相違する周波数帯域の干渉の間に大きい差が存在するということを意味する。特に、ＴＤ-ＬＴＥ(Ｔｉｍｅ Ｄｉｖｉｓｉｏｎ-ＬＴＥ)システムのネットワークの配置のために、アップリンク及びダウンリンクの間の干渉は深刻にＴＤ−ＬＴＥシステムの性能を制限する。
【０００９】
上述した分析に基づいて、ＴＤ−ＬＴＥシステムの未来の進化で、ＴＤ−ＬＴＥシステムの進化で考慮されなければならない重要な問題は相違するフレーム構造構成を相違するコンポーネントキャリア(ＣＣ；Ｃｏｍｐｏｎｅｎｔ Ｃａｒｒｉｅｒ)に適用させるものである。ＬＴＥリリース１０(Ｒｅｌ−１０)のシステムで、ＵＥが多重ＣＣから構成されるとき、ｅＮＢはＵＥに上位レベルシグナリングを通じてＰＣＣ(Ｐｒｉｍａｒｙ Ｃｏｍｐｏｎｅｎｔ Ｃａｒｒｉｅｒ)の番号及び結合されたＳＣＣ(Ｓｅｃｏｎｄａｒｙ Ｃｏｍｐｏｎｅｎｔ Ｃａｒｒｉｅｒ)の番号を通知する。追加で、ＵＥのために構成された多重ＣＣが相違する周波数帯域にあるとき、さらに少なくとも１つのＣＣのフレーム構造構成が他のＣＣのフレーム構造と相違するとき、ダウンリンクデータサブフレーム物理ダウンリンク共有チャンネル(ＰＤＳＣＨ；Ｐｈｙｓｉｃａｌ Ｄｏｗｎｌｉｎｋ Ｓｈａｒｅｄ Ｃｈａｎｎｅｌ)とアップリンク(ＵＬ)制御情報の間のタイミング関係をどのように設計するか、より詳しくは、ＡＣＫ／ＮＡＣＫをどのようにフィードバックするかが他の帯域の間のキャリアアグリゲーションが他のフレーム構造構成に適用されるとき、解決すべきである主要イシューとなる。
【発明の概要】
【発明が解決しようとする課題】
【００１０】
現在、合理的な技術分析に基づいて、次の２個の解決策が主に適用される。
【００１１】
第１は、相違する帯域の間のキャリアアグリゲーション技術と相違するフレーム構造構成の特徴をサポートするあらゆるＵＥが少なくとも２個のＰＡ(Ｐｏｗｅｒ Ａｍｐｌｉｆｉｅｒ)及び無線周波数(ＲＦ；Ｒａｄｉｏ ｆｒｅｑｕｅｎｃｙ)回路を含むという仮定下にある。特に、図２に説明されたフィードバック方法を参照すれば、即ち、ＵＥのあらゆるＣＣが２個の他の帯域にあり、他の帯域のうちのいずれか１つでフレーム構造構成が同一である時、他の帯域でフレーム構造が相違するとき、ｅＮＢは上位レベルシグナリングを通じて各帯域で各ＵＥのためにＡＣＫ／ＮＡＣＫ情報をフィードバックするためのＣＣを指定する。各帯域はそれぞれの相違するフレーム構造構成による、この帯域でＰＤＳＣＨ及びＵＬ ＡＣＫ／ＮＡＣＫ間の存在するタイミング関係を使用することを持続する。この方法はＡＣＫ／ＮＡＣＫ情報を成功的にフィードバックすることができる。このＡＣＫ／ＮＡＣＫ情報は相違するフレーム構造構成の特徴及び相違する帯域の間のキャリアアグリゲーション技術をサポートするあらゆるＵＥが少なくとも２個のＰＡを含むことを要求する。これはリリース１１(Ｒｅｌ-１１)ターミナルの費用を非常に増加させ、Ｒｅｌ−１１製品の市場及び実現を制限する。さらに、制限されたパワーを有するセルエッジのためのように、ＣＭ(Ｃｕｂｉｃ Ｍｅｔｒｉｃ)の特徴は多重ＣＣ上にアップリンクＡＣＫ／ＮＡＣＫ情報を送信するとき、考慮されることが必要である。さらに、ＵＥの増幅器の効率は追加に減少されることが必要である。これはアップリンクＡＣＫ／ＮＡＣＫの性能が必然的に悪化させ、アップリンクＡＣＫ／ＮＡＣＫは十分ではないパワーでセルエッジユーザに対して正確ではないように受信されることができる。
【００１２】
従って、上述した方法の問題は第２の方法に導く。即ち、Ｒｅｌ-１１システムで単に１つのＰＡを有するローエンド(ｌｏｗ-ｅｎｄ)ユーザが他のフレーム構造構成を有する他の帯域の間のキャリアアグリゲーション技術から利得を得ることができるように保障するためにアップリンクＡＣＫ／ＮＡＣＫ情報の存在するパワー制御メカニズムを使用することを持続するように保障するため、単一ＰＣＣ上で単にアップリンクＡＣＫ／ＮＡＣＫ情報を送信する。典型的な方法は次を含む：アップリンクＡＣＫ／ＮＡＣＫのＬＢ(ＬｏａｄＢａｌａｎｃｉｎｇ)特徴を考慮するためのＰＤＳＣＨ及びアップリンクＡＣＫ／ＮＡＣＫの間の新しいタイミング関係を設計する。この方法が第１方法の問題を乗り越えることができる基盤でＡＣＫ／ＮＡＣＫを正確にフィードバックすることができても、最も考慮はＰＤＳＣＨ及びアップリンクＡＣＫ／ＮＡＣＫの間の新しいタイミング関係が資源を割り当ててスケジューリングするための新しいスケジューリング政策を使用するためのスケジューラーが要求される。即ち、方法は既存のスケジューラーアルゴリズムを変更することが必要である。
【００１３】
上述した分析の基礎下で、既存のＡＣＫ／ＮＡＣＫフィードバック技術解決策は相違する問題を有する。従って、ＰＤＳＣＨ及びアップリンクＡＣＫ／ＮＡＣＫの間の実現可能なタイミング関係を捜すこと、即ち、どのようにＡＣＫ／ＮＡＣＫをフィードバックするかは解決すべきであるＬＴＥバージョン１１の主要技術的問題である。
【課題を解決するための手段】
【００１４】
本発明の目的は、キャリアアグリゲーションのとき、相違するフレーム構造で肯定応答(ＡＣＫ；Ａｃｋｎｏｗｌｅｄｇｅｍｅｎｔ)／否定応答(ＮＡＣＫ；Ｎｏｎ Ａｃｋｎｏｗｌｅｄｇｅｍｅｎｔ)フィードバック方法を提供することにある。
【００１５】
このような観点で、本発明の実施形態は無線通信システムでＡＣＫ／ＮＡＣＫフィードバック方法を提供し、これによってユーザ装置(ＵＥ；Ｕｓｅｒ Ｅｑｕｉｐｍｅｎｔ)はＣＣの構成されたフレーム構造構成によるＡＣＫ／ＮＡＣＫを適応的にフィードバックすることができ、相違するフレーム構造構成の帯域の間のキャリアアグリゲーション(ｃａｒｒｉｅｒ ａｇｇｒｅｇａｔｉｏｎ)が効果的にサポートされ、相違する通信システムの共存及び性能最適化がユーザ装置の増幅器の数を制限せず具現されることができる。
【００１６】
上述した目的を達成するための本発明の技術的解決策は次のような方法からなる。
【００１７】
無線通信システムで肯定応答(ＡＣＫ；Ａｃｋｎｏｗｌｅｄｇｅｍｅｎｔ)／否定応答(ＮＡＣＫ；Ｎｏｎ Ａｃｋｎｏｗｌｅｄｇｅｍｅｎｔ)をフィードバックするための方法は：
ユーザ装置(ＵＥ；Ｕｓｅｒ Ｅｑｕｉｐｍｅｎｔ)によって、共通サブフレームの番号を決定する段階として、前記共通サブフレームの番号全部は、ＰＣＣ(プライマリーコンポーネントキャリア、Ｐｒｉｍａｒｙ Ｃｏｍｐｏｎｅｎｔ Ｃａｒｒｉｅｒ)及びＳＣＣ(セカンダリーコンポーネントキャリア、Ｓｅｃｏｎｄａｒｙ Ｃｏｍｐｏｎｅｎｔ Ｃａｒｒｉｅｒ)のフレーム構造構成によるフレーム構造構成である無線フレームのＰＣＣ及びＳＣＣサブフレームのアップリンクサブフレームであることを特徴とする、決定する段階；
前記ユーザ装置によって、構成を選択する段階として、選択された構成のアップリンクサブフレームは単に既存の７種類のフレーム構造構成から決定された共通サブフレームに対応するサブフレームを含むことを特徴とする、選択する段階；及び
前記ユーザ装置によって、基地局(ｅＮＢ；Ｅｖｏｌｖｅｄ ＮｏｄｅＢ)で、前記選択された構成に対応するＡＣＫ／ＮＡＣＫ及びＰＤＳＣＨ(物理ダウンリンク共有チャンネル、Ｐｈｙｓｉｃａｌ Ｄｏｗｎｌｉｎｋ Ｓｈａｒｅｄ Ｃｈａｎｎｅｌ)の間のタイミング関係を適用する前記ＰＣＣ上の前記ＳＣＣでＰＤＳＣＨに対応するＡＣＫ／ＮＡＣＫ情報をフィードバックする段階；を含む。
【００１８】
前記方法は：前記ユーザ装置によって、前記基地局で、前記選択された構成に対応するＡＣＫ／ＮＡＣＫ及びＰＤＳＣＨの間のタイミング関係を適用する前記ＰＣＣ上の前記ＰＣＣで前記ＰＤＳＣＨに対応するＡＣＫ／ＮＡＣＫ情報をフィードバックする段階；をさらに含む。
【００１９】
前記方法は：前記ユーザ装置によって、前記基地局で、前記ＰＣＣのフレーム構造構成に対応するＡＣＫ／ＮＡＣＫ及びＰＤＳＣＨの間のタイミング関係を適用する前記ＰＣＣ上の前記ＰＣＣで前記ＰＤＳＣＨに対応するＡＣＫ／ＮＡＣＫ情報をフィードバックする段階；をさらに含む。
【００２０】
ユーザ装置によって決定されたダウンリンクデータサブフレームのバンドルされたウインドウがアップリンクデータサブフレームを含むとき、前記方法は：
アップリンクデータサブフレームに対応するＡＣＫ／ＮＡＣＫをＤＴＸ(不連続送信Ｄｉｓｃｏｎｔｉｎｕｏｕｓ Ｔｒａｎｓｍｉｓｓｉｏｎ)状態にマッピングさせたり、或いはどんなＡＣＫ／ＮＡＣＫ情報もフィードバックしない段階と、をさらに含む。
【００２１】
ユーザ装置が２以上のＰＣＣから構成されるとき、ユーザ装置によって、共通サブフレームの番号を決定する段階の前、前記ＰＣＣ全部はフレーム構成構成で無線フレームのＰＣＣ及びどんなＳＣＣサブフレームでアップリンクサブフレームであり、前記方法は：前記基地局によって、前記端末にＲＲＣ(無線資源制御、Ｒａｄｉｏ Ｒｅｓｏｕｒｃｅ Ｃｏｎｔｒｏｌ)シグナリングを通じてＡＣＫ／ＮＡＣＫをフィードバックするためのＰＣＣの番号を通知する段階；をさらに含む。
【００２２】
前記ユーザ装置によって、構成を選択する段階として、選択された構成のアップリンクサブフレームは単に既存の７種類のフレーム構造構成から決定された共通サブフレームに対応するサブフレームを含むことを特徴とする、選択する段階は：
前記フレーム構造構成のどんな無線フレームで、２個のアップリンク及びダウンリンクサブフレームスイッチングポイントを含む１つの構成が第１クラスの構成であり、他の構成が第２クラスの構成であれば、２種類のユーザ装置の構成は構成Ａ及び構成Ｂであることを特徴とし、
前記ユーザ装置によって、構成Ａ及び構成Ｂが同一クラスの構成に属し、構成Ａでアップリンクサブフレームの部分が構成Ｂのアップリンクサブフレームの部分より大きいとき、構成Ｂを選択し、
前記ユーザ装置によって、構成Ａ及び構成Ｂが同一クラスの構成に属せず、構成Ａ及び構成Ｂのうちの一方が構成０であるとき、構成Ａ及び構成Ｂで構成０を除いた他方の構成を選択し、
前記ユーザ装置によって、構成Ａ及び構成Ｂが同一クラスの構成に属せず、構成Ａ及び構成Ｂ両者が構成０であり、構成Ａ及び構成Ｂのうちの一方が構成６であるとき、構成Ａ及び構成Ｂで構成６を除いた他方の構成を選択し、
前記ユーザ装置によって、構成Ａ及び構成Ｂが同一クラスの構成に属せず、構成Ａ及び構成Ｂのうちの一方が構成５であるとき、構成５を選択し、
前記ユーザ装置によって、構成Ａ及び構成Ｂが、構成１、構成３であるか、或いは構成１、構成４であるとき、構成４を選択し、さらに、
前記ユーザ装置によって、構成Ａ及び構成Ｂが構成２、構成３であるか、或いは構成２、構成４であるとき、構成５を選択することを含む。
【００２３】
無線通信システムで肯定応答(ＡＣＫ；Ａｃｋｎｏｗｌｅｄｇｅｍｅｎｔ)／否定応答(ＮＡＣＫ；Ｎｏｎ Ａｃｋｎｏｗｌｅｄｇｅｍｅｎｔ)をフィードバックするための方法は：
基地局(ｅＮＢ；Ｅｖｏｌｖｅｄ ＮｏｄｅＢ)によってユーザ装置(ＵＥ；Ｕｓｅｒ Ｅｑｕｉｐｍｅｎｔ)に、上位レベルシグナリングを通じてＰＣＣ(プライマリーコンポーネントキャリア、Ｐｒｉｍａｒｙ Ｃｏｍｐｏｎｅｎｔ Ｃａｒｒｉｅｒ)及びあらゆるＳＣＣ(セカンダリーコンポーネントキャリア、Ｓｅｃｏｎｄａｒｙ Ｃｏｍｐｏｎｅｎｔ Ｃａｒｒｉｅｒ)の構成された情報を通知する段階として、前記ユーザ装置の前記ＰＣＣ及びあらゆるＳＣＣの構成された情報は前記ユーザ装置に対して構成された各ＣＣ(Ｃｏｍｐｏｎｅｎｔ Ｃａｒｒｉｅｒ)のフレーム構造構成を含み、ＰＣＣ及びあらゆるＳＣＣの番号をさらに含む、通知する段階；
前記ユーザ装置によって、前記基地局から送信されたＰＣＣ及びあらゆるＳＣＣのフレーム構造構成の情報によって、フレーム構造構成を決定する段階；及び
前記ユーザ装置によって、前記基地局で、前記決定されたフレーム構造構成によってＡＣＫ／ＮＡＣＫとＰＤＳＣＨ(物理ダウンリンク共有チャンネル、Ｐｈｙｓｉｃａｌ Ｄｏｗｎｌｉｎｋ Ｓｈａｒｅｄ Ｃｈａｎｎｅｌ)の間のタイミング関係を適用するＰＣＣ上のＳＣＣで、ＰＤＳＣＨに対応するＡＣＫ／ＮＡＣＫ情報をフィードバックする段階；を含む。
【００２４】
前記ユーザ装置によって、前記基地局から送信されたＰＣＣ及びあらゆるＳＣＣのフレーム構造構成の情報によって、フレーム構造構成を決定する段階は：
前記フレーム構造構成のどんな無線フレームで、２個のアップリンク及びダウンリンクサブフレームスイッチングポイントを含む１つの構成が第１クラスの構成であり、他の構成が第２クラスの構成であれば、２種類のユーザ装置の構成は構成Ａ及び構成Ｂであることを特徴とし、
前記ユーザ装置によって、構成Ａ及び構成Ｂが同一クラスの構成に属し、構成Ａでアップリンクサブフレームの部分が構成Ｂのアップリンクサブフレームの部分より大きいとき、構成Ｂと決定し、
前記ユーザ装置によって、構成Ａ及び構成Ｂが同一クラスの構成に属せず、構成Ａ及び構成Ｂのうちの一方が構成０であるとき、構成Ａ及び構成Ｂで構成０を除いた他方の構成と決定し、
前記ユーザ装置によって、構成Ａ及び構成Ｂが同一クラスの構成に属せず、構成Ａ及び構成Ｂ両者が構成０であり、構成Ａ及び構成Ｂのうちの一方が構成６であるとき、構成Ａ及び構成Ｂで構成６を除いた他方の構成と決定し、
前記ユーザ装置によって、構成Ａ及び構成Ｂが同一クラスの構成に属せず、構成Ａ及び構成Ｂのうちの一方が構成５であるとき、構成５と決定し、
前記ユーザ装置によって、構成Ａ及び構成Ｂが、構成１及び構成３であるか、或いは、構成１及び構成４であるとき、構成４を選択し、さらに、
前記ユーザ装置によって、構成Ａ及び構成Ｂが構成２、構成３であるか、或いは構成２、構成４であるとき、構成５を選択することを含む。
【００２５】
前記方法は：前記ユーザ装置によって、前記基地局で、前記決定された構成に対応するＡＣＫ／ＮＡＣＫ及びＰＤＳＣＨの間のタイミング関係を適用する前記ＰＣＣ上の前記ＰＣＣで前記ＰＤＳＣＨに対応するＡＣＫ／ＮＡＣＫ情報をフィードバックする段階と、をさらに含む。
【００２６】
前記方法は：前記ユーザ装置によって、前記基地局で、前記ＰＣＣのフレーム構造構成に対応するＡＣＫ／ＮＡＣＫ及びＰＤＳＣＨの間のタイミング関係を適用する前記ＰＣＣ上の前記ＰＣＣで前記ＰＤＳＣＨに対応するＡＣＫ／ＮＡＣＫ情報をフィードバックする段階と、をさらに含む。
【００２７】
ユーザ装置によって決定されたダウンリンクデータサブフレームのバンドルされたウインドウがアップリンクデータサブフレームを含むとき、前記方法は：
アップリンクデータサブフレームに対応するＡＣＫ／ＮＡＣＫをＤＴＸ(不連続送信Ｄｉｓｃｏｎｔｉｎｕｏｕｓ Ｔｒａｎｓｍｉｓｓｉｏｎ)状態にマッピングさせたり、或いはどんなＡＣＫ／ＮＡＣＫ情報もフィードバックしない段階：をさらに含む。
【００２８】
上述した技術的解決策の観点において、本発明の実施形態によって提供される無線通信システムで、ＡＣＫ／ＮＡＣＫフィードバック方法で、ユーザ装置は共通サブフレームの番号を決定し、これら全部はＰＣＣ及びどんなＳＣＣの構成されたフレーム構造構成によるどんな無線フレームのＰＣＣ及びＳＣＣサブフレームでアップリンクサブフレームである。さらに、ユーザ装置は構成を選択して、このアップリンクフレームは単に既存の７種類のフレーム構造構成から共通サブフレームの決定された番号に対応するサブフレームを含む。また、ユーザ装置は選択された構成に対応するＡＣＫ／ＮＡＣＫ及びＰＤＳＣＨの間のタイミング関係に適用されるＰＣＣ上のＳＣＣでＰＤＳＣＨに対応するＡＣＫ／ＮＡＣＫ情報を基地局(ｅＮＢ)にフィードバックする。代案的に、基地局は上位レベルシグナリングを通じてＰＣＣ及びあらゆるＳＣＣの構成された情報をユーザ装置に通知する。ユーザ装置は基地局から送信されたＰＣＣ及びあらゆるＳＣＣのフレーム構造構成の情報によってフレーム構造構成を決定する。さらに、ユーザ装置は決定されたフレーム構造構成に対応するＡＣＫ／ＮＡＣＫ及びＰＤＳＣＨの間のタイミング関係を利用してＰＣＣ上のＳＣＣでＰＤＳＣＨに対応するＡＣＫ／ＮＡＣＫ情報を基地局にフィードバックする。さらに、ユーザ装置が多重ＣＣから構成され、少なくとも１つのＣＣのフレーム構造構成が他のＣＣのフレーム構造構成と相違するとき、本発明の方法はスケジューラーの既存のアルゴリズムを変更せずＣＣの構成されたフレーム構造構成によるアップリンクＡＣＫ／ＮＡＣＫ及びＰＤＳＣＨの間のタイミング関係を適応的に選択して決定することができ、ＰＣＣ上のＡＣＫ／ＮＡＣＫ情報をフィードバックすることができる。従って、本発明のＡＣＫ／ＮＡＣＫフィードバック方法は相違するフレーム構造構成の帯域の間のキャリアアグリゲーション(ｃａｒｒｉｅｒ ａｇｇｒｅｇａｔｉｏｎ)を効果的にサポートすることができ、ＵＥの増幅器の数を制限せず相違する通信システムの性能最適化及び共存を具現することができる。
【発明の効果】
【００２９】
上述したように、本発明は相違するフレーム構造でＡＣＫ／ＮＡＣＫフィードバック方法を提供することによって、相違するフレーム構造構成の帯域の間のキャリアアグリゲーション(ｃａｒｒｉｅｒ ａｇｇｒｅｇａｔｉｏｎ)を効果的にサポートすることができ、ＵＥの増幅器の数を制限せず相違する通信システムの性能最適化及び共存を具現することができる。
【図面の簡単な説明】
【００３０】
【図１】既存のＴＤ-ＬＴＥ(Ｔｉｍｅ Ｄｉｖｉｓｉｏｎ-ＬＴＥ)システムのフレーム構造構成を示した概路図である。
【図２】既存のＡＣＫ／ＮＡＣＫフィードバック方法を示した概路図(ｓｃｅｎｅ ｓｃｈｅｍａｔｉｃ ｄｉａｇｒａｍ)である。
【図３】本発明の実施形態によるＡＣＫ／ＮＡＣＫフィードバック方法１のフローチャートである。
【図４】ＡＣＫ／ＮＡＣＫサブフレームを決定するための本発明の第１実施形態を示した概路図である。
【図５】ＡＣＫ／ＮＡＣＫサブフレームを決定するための本発明の第２実施形態を示した概路図である。
【図６】ＡＣＫ／ＮＡＣＫサブフレームを決定するための本発明の第３実施形態を示した概路図である。
【図７】ＡＣＫ／ＮＡＣＫサブフレームを決定するための本発明の第４実施形態を示した概路図である。
【図８】ＡＣＫ／ＮＡＣＫサブフレームを決定するための本発明の第５実施形態を示した概路図である。
【図９】本発明の実施形態によるＡＣＫ／ＮＡＣＫフィードバック方法２のフローチャートである。
【発明を実施するための形態】
【００３１】
本発明が添付された図面に対する参照と共に以下の詳細事項でより詳細に説明されるが、これを通じて本発明の目的、技術的解決策及び利得がより明確になる。
【００３２】
本発明のメインアイディアは次の通りである：
【００３３】
ＵＥは共通サブフレーム(ｐｕｂｌｉｃ ｓｕｂ-ｆｒａｍｅ)の番号を決定する。これら共にはＰＣＣ及びどんなＳＣＣの構成されたフレーム構造構成によるフレーム構造構成でどんな無線フレームのＰＣＣ及びＳＣＣサブフレームでアップリンクサブフレームである。ＵＥは構成を選択する。これらのアップリンクサブフレームは単に既存の７種類のフレーム構造構成から、共通サブフレームの判別された番号によるサブフレームを含む。ＵＥは選択された構成に対応するＰＤＳＣＨ及びＡＣＫ／ＮＡＣＫ間のタイミング関係が適用されたＰＣＣ上のＳＣＣでＰＤＳＣＨに対応するＡＣＫ／ＮＡＣＫ情報をｅＮＢにフィードバックする。
【００３４】
代案的に、ｅＮＢは上位レベルシグナリングを通じてＰＣＣ及びあらゆるＳＣＣの構成された情報をＵＥに通知する。ＵＥのＰＣＣ及びあらゆるＳＣＣの構成された情報はＵＥに対して構成された各ＣＣのフレーム構造構成を含む。さらに、ＰＣＣ及びあらゆるＳＣＣの番号を含む。ＵＥはｅＮＢから送信されるＰＣＣ及びあらゆるＳＣＣのフレーム構造構成の情報によるフレーム構造構成を判別する。ＵＥは決定されたフレーム構造構成に対応するＰＤＳＣＨ及びＡＣＫ／ＮＡＣＫ間のタイミング関係に適用されるＰＣＣ上のＳＣＣでＰＤＳＣＨによるＡＣＫ／ＮＡＣＫ情報をｅＮＢにフィードバックする。
【００３５】
図３は、本発明の実施形態によるＡＣＫ／ＮＡＣＫフィードバック方法１のフローチャートを示す。図３に示したように流れは次を含む：
【００３６】
ブロック３０１：ＵＥは共通サブフレーム(ｐｕｂｌｉｃ ｓｕｂ-ｆｒａｍｅ)の番号を判別する。これら全部はＰＣＣ及びどんなＳＣＣの構成されたフレーム構造構成によるフレーム構造構成でどんな無線フレームのＰＣＣ及びＳＣＣサブフレームでアップリンクサブフレームである。
【００３７】
ＵＥが２個以上のＰＣＣから構成されるとき、ＡＣＫ／ＮＡＣＫをフィードバックするためのＣＣはＰＣＣのうちのいずれか１つであることを留意すべきである。従って、このブロックが実行される前、ｅＮＢはＵＥに無線リソース制御(ＲＲＣ、Ｒａｄｉｏ Ｒｅｓｏｕｒｃｅ Ｃｏｎｔｒｏｌ)シグナリングを通じてＡＣＫ／ＮＡＣＫをフィードバックするために使用されるＰＣＣの番号を通知する。
【００３８】
ブロック３０２：ＵＥは構成を選択する。これらのアップリンクサブフレームは単に既存の７種類のフレーム構造構成から、共通サブフレームの判別された番号によるサブフレームを含む。
【００３９】
ＵＥは構成を選択し、これのアップリンクフレームは単に、判別された番号の共通サブフレームに対応するサブフレームを含む。即ち、アップリンクサブフレームを除いたサブフレームで、フレーム構造構成を選択する。即ち、共通サブフレームの判別された番号に対応するサブフレームはダウンリンクサブフレームである。このブロックで、ＵＥは構成を選択する。このアップリンクフレームは単に次を含む７種類の既存のフレーム構造構成から、共通サブフレームの決定された番号に対応するサブフレームを含む：
【００４０】
フレーム構造構成及びどんな無線フレームで、２個のアップリンク及びダウンリンクサブフレームスイッチングポイントを含む構成は第１クラスの構成であると仮定する。さらに、他の構成は第２クラスの構成であると仮定する。２種類の構成のＵＥは構成Ａ及び構成Ｂである。
【００４１】
構成Ａ及び構成Ｂが同一クラスの構成に属するとき、さらに構成Ａでアップリンクサブフレームの部分が構成Ｂのアップリンクサブフレームの部分より大きいとき、ＵＥは構成  Ｂを選択する。
【００４２】
構成Ａ及び構成Ｂが同一クラスの構成に属せず、構成Ａ及び構成Ｂのうちの一方が構成０であるとき、ＵＥは構成Ａ及び構成Ｂで構成０を除いた構成を選択する。
【００４３】
構成Ａ及び構成Ｂが同一クラスの構成に属せず、構成Ａ及び構成Ｂ両者が構成０ではなく、構成Ａ及び構成Ｂのうちの一方が構成６であるとき、ＵＥは構成Ａ及び構成Ｂから構成６を除いた構成を選択する。
【００４４】
構成Ａ及び構成Ｂは同一クラスの構成に属せず、構成Ａ及び構成Ｂのうちの一方は構成５であるとき、ＵＥは構成５を選択する。
【００４５】
構成Ａ及びＢが構成１及び構成３であるか、構成１及び構成４であるとき、ＵＥは構成４を選択する。
【００４６】
構成Ａ及びＢが構成２及び構成３であるか、構成２及び構成４であるとき、ＵＥは構成５を選択する。
【００４７】
表１は、２個の相違する種類のフレーム構造構成から選択されたフレーム構造構成の結果を表わす。表１に示したように、一方はフレーム構造構成Ａであり、他方はフレーム構造構成Ｂである。ＵＥは既存の構成Ｃを捜し、構成Ａ及び構成Ｂの値を有する以前バージョンと互換される(ｂａｃｋｗａｒｄ ｃｏｍｐａｔｉｂｌｅ)フレーム構造構成である。構成Ｃは構成Ａ及び構成Ｂのうちのいずれか１つになるとか、或いは新しい種類のフレーム構造構成となることができる。
【００４８】
【表１】
2014529222.tif 000003
【００４９】
ブロック３０３：ＵＥはｅＮＢに選択された構成に対応するＡＣＫ／ＮＡＣＫ及びＰＤＳＣＨの間のタイミング関係を利用してＰＣＣ上のＳＣＣでＰＤＳＣＨに対応するＡＣＫ／ＮＡＣＫ情報をフィードバックする。
【００５０】
このブロックで、ＰＣＣのＰＤＳＣＨのために、２個のＡＣＫ／ＮＡＣＫフィードバック方式が適用されることができるという点を留意すべきである。そのうちの一方はＳＣＣのそれと同一である。即ち、選択された構成に対応するＡＣＫ／ＮＡＣＫ及びＰＤＳＣＨの間のタイミング関係によるＰＣＣに対するＡＣＫ／ＮＡＣＫ情報をフィードバックすることである。即ち、ＵＥは単一ＣＣ上で全てダウンリンクデータによるＡＣＫ／ＮＡＣＫ情報をフィードバックすることができる。従って、これはＰＣＣ及びＳＣＣをマッピングすることによって得られるアップリンクＡＣＫ／ＮＡＣＫをダウンリンクデータサブフレームの間のタイミング関係のように正確に同様に作る。そのうちの、他方はこの自分のフレーム構造構成によって決定されるＡＣＫ／ＮＡＣＫタイミング関係によるＰＣＣに対するＡＣＫ／ＮＡＣＫ情報をフィードバックする。
【００５１】
いずれか１つから構成されたＣＣに対して、ＡＣＫ／ＮＡＣＫ情報が選択された構成に対応するＡＣＫ／ＮＡＣＫ及びＰＤＳＣＨの間のタイミング関係によってフィードバックされるとき、さらにＵＥによって決定されたダウンリンクサブフレームのバンドルされたウインドウ(ｂｕｎｄｌｅｄ ｗｉｎｄｏｗ)はアップリンクデータサブフレームを含むとき、アップリンクデータサブフレームに対応するＡＣＫ／ＮＡＣＫは明確に非連続送信(ＤＴＸ、Ｄｉｓｃｏｎｔｉｎｕｏｕｓ Ｔｒａｎｓｍｉｓｓｉｏｎ)状態にマッピングされたり、或いはどんなＡＣＫ／ＮＡＣＫ情報もフィードバックしない。
【００５２】
このような観点で、本発明のＡＣＫ／ＮＡＣＫフィードバック方法１の全体作業流れが仕上げられる。本発明の方法がより明確にさせるために、実施形態が説明のために以後内容で与えられる。
【００５３】
＜実施形態１＞
この実施形態において、ＵＥは２個のＣＣから構成されると仮定すれば、これらの番号はＣＣ０及びＣＣ１である。ＣＣ０はＰＣＣであり、ＣＣ１はＳＣＣである。最小化された隣接チャンネル干渉を考慮することに基づいて、ＣＣ０はＣＣ１がフレーム構造構成２に適用されるとき、フレーム構造構成１を適用する。ＡＣＫ／ＮＡＣＫサブフレームを決定する方法のために図４に示した概路図(ｓｃｅｎｅ ｓｃｈｅｍａｔｉｃ ｄｉａｇｒａｍ)を参照されたい。図４に示したように、方法は次を含む：
【００５４】
段階４０１：ＵＥはアップリンク共通サブフレームの番号を決定する。即ち、ＰＣＣ及びＳＣＣのフレーム構造構成によるサブフレーム２及びサブフレーム７で共通アップリンクサブフレームの番号を指定する。
【００５５】
段階４０２：ＵＥは構成、即ち、フレーム構造２(ＦＳ２；Ｆｒａｍｅ Ｓｔｒｕｃｔｕｒｅ ２)でフレーム構造構成２を選択する。これのアップリンクサブフレームは単に段階４０１の結果による既存の７種類のフレーム構造構成からサブフレーム２及びサブフレーム７を含む。
【００５６】
段階４０３：ＵＥはＦＳ２でフレーム構造構成２によるＡＣＫ／ＮＡＣＫ及びＰＤＳＣＨの間のタイミング関係を適用するあらゆるＳＣＣ及びＰＣＣに対するＡＣＫ／ＮＡＣＫ情報をフィードバックする。
【００５７】
この実施形態で、ＰＣＣは選択された構成によるＡＣＫ／ＮＡＣＫ及びＰＤＳＣＨの間のタイミング関係によるＡＣＫ／ＮＡＣＫ情報をフィードバックするという点を留意しなければならない。従って、 ＰＣＣ及びＳＣＣをマッピングすることによって得られるアップリンクＡＣＫ／ＮＡＣＫはダウンリンクデータサブフレーム間のタイミング関係と正確に同一である。
【００５８】
特に、この実施形態で、ｅＮＢ及びＵＥ全部はバンドルされたウインドウで特定サブフレームが幾つかのＣＣのアップリンクサブフレームであるとき、(この特徴は、構成されたＣＣで、サブフレームが少なくとも１つのＣＣのダウンリンクサブフレームであり、一方、図４でサブフレーム３及び８のような、少なくとも１つのＣＣのアップリンクサブフレームである。)バンドルされたウインドウで特定サブフレームにマッピングされる対応するＡＣＫ／ＮＡＣＫがＤＴＣ状態であることを明確に認知する。
【００５９】
＜実施形態２＞
この実施形態で、ＵＥは２個のＣＣから構成され、これらの番号はＣＣ０及びＣＣ１である。ＣＣ０はＰＣＣであり、ＣＣ１はＳＣＣである。最小化された隣接チャンネル干渉を考慮することに基づいて、ＣＣ０はＣＣ１がフレーム構造構成３に適用されるとき、フレーム構造構成１を適用する。ＡＣＫ／ＮＡＣＫサブフレームを決定する方法のために図５に示した概路図(ｓｃｅｎｅ ｓｃｈｅｍａｔｉｃ ｄｉａｇｒａｍ)を参照されたい。図５に示したように、方法は次を含む：
【００６０】
段階５０１：ＵＥはアップリンク共通サブフレームの番号を決定する。即ち、ＰＣＣ及びＳＣＣのフレーム構造構成によるサブフレーム２及びサブフレーム３で共通アップリンクサブフレームの番号を指定する。
【００６１】
段階５０２：ＵＥは構成、即ち、フレーム構造２(ＦＳ２；Ｆｒａｍｅ Ｓｔｒｕｃｔｕｒｅ ２)でフレーム構造構成４を選択する。これのアップリンクサブフレームは単に段階５０１の結果による既存の７種類のフレーム構造構成からサブフレーム２及びサブフレーム３を含む。
【００６２】
段階５０３：ＵＥはＦＳ２でフレーム構造構成４によるＡＣＫ／ＮＡＣＫ及びＰＤＳＣＨの間のタイミング関係を適用するあらゆるＳＣＣ及びＰＣＣに対するＡＣＫ／ＮＡＣＫ情報をフィードバックする。
【００６３】
第１実施形態と同様に、ＰＣＣはさらに選択された構成によるＡＣＫ／ＮＡＣＫ及びＰＤＳＣＨの間のタイミング関係によるＡＣＫ／ＮＡＣＫ情報をフィードバックするという点を留意すべきである。
【００６４】
特に、この実施形態で、ｅＮＢ及びＵＥ全部はバンドルされたウインドウで特定サブフレームが幾つかのＣＣのアップリンクサブフレームであるとき、(この特徴は、構成されたＣＣで、サブフレームが少なくとも１つのＣＣのダウンリンクサブフレームであり、一方、図５でサブフレーム７及び８のような、少なくとも１つのＣＣのアップリンクサブフレームである。)バンドルされたウインドウで特定サブフレームにマッピングされる対応するＡＣＫ／ＮＡＣＫがＤＴＣ状態であることを明確に認知する。
【００６５】
＜実施形態３＞
この実施形態で、ＵＥは２個のＣＣから構成され、これらの番号はＣＣ０及びＣＣ１である。ＣＣ０はＰＣＣであり、ＣＣ１はＳＣＣである。最小化された隣接チャンネル干渉を考慮することに基づいてＣＣ０はＣＣ１がフレーム構造構成４に適用されるとき、フレーム構造構成２を適用する。ＡＣＫ／ＮＡＣＫサブフレームを決定する方法のために図６に示した概路図(ｓｃｅｎｅ ｓｃｈｅｍａｔｉｃ ｄｉａｇｒａｍ)を参照されたい。図６に示したように、方法は次を含む：
【００６６】
段階６０１：ＵＥはアップリンク共通サブフレームの番号を決定する。即ち、ＰＣＣ及びＳＣＣのフレーム構造構成によるサブフレーム２で共通アップリンクサブフレームの番号を指定する。
【００６７】
段階６０２：ＵＥは構成、即ちフレーム構造２(ＦＳ２；Ｆｒａｍｅ Ｓｔｒｕｃｔｕｒｅ ２)でフレーム構造構成５を選択する。これのアップリンクサブフレームは単に段階６０１の結果による既存の７種類のフレーム構造構成からサブフレーム２を含む。
【００６８】
段階６０３：ＵＥはＦＳ２でフレーム構造構成５によるＡＣＫ／ＮＡＣＫ及びＰＤＳＣＨの間のタイミング関係を適用するあらゆるＳＣＣ及びＰＣＣに対するＡＣＫ／ＮＡＣＫ情報をフィードバックする。
【００６９】
類似に、この実施形態で、ｅＮＢ及びＵＥ全部はバンドルされたウインドウで特定サブフレームが幾つかのＣＣのアップリンクサブフレームであるとき(この特徴は、構成されたＣＣで、サブフレームが少なくとも１つのＣＣのダウンリンクサブフレームであり、一方、図６でサブフレーム３のような、少なくとも１つのＣＣのアップリンクサブフレームである。)バンドルされたウインドウで特定サブフレームにマッピングされる対応するＡＣＫ／ＮＡＣＫがＤＴＣ状態であることを明確に認知する。
【００７０】
＜実施形態４＞
この実施形態で、ＵＥは２個のＣＣから構成され、これらの番号はＣＣ０及びＣＣ１である。ＣＣ０はＰＣＣであり、ＣＣ１はＳＣＣである。最小化された隣接チャンネル干渉を考慮することに基づいて、ＣＣ０はＣＣ１がフレーム構造構成４に適用されるとき、フレーム構造構成２を適用する。ＡＣＫ／ＮＡＣＫサブフレームを決定する方法のために図７に示した概路図(ｓｃｅｎｅ ｓｃｈｅｍａｔｉｃ ｄｉａｇｒａｍ)を参照されたい。図７に示したように、方法は次を含む：
【００７１】
段階７０１：ＵＥはアップリンク共通サブフレームの番号を決定する。即ち、ＰＣＣ及びＳＣＣのフレーム構造構成によるサブフレーム２で共通アップリンクサブフレームの番号を指定する。
【００７２】
段階７０２：ＵＥは構成、即ちフレーム構造２(ＦＳ２；Ｆｒａｍｅ Ｓｔｒｕｃｔｕｒｅ ２)でフレーム構造構成５を選択する。これのアップリンクサブフレームは単に段階７０１の結果による既存の７種類のフレーム構造構成からサブフレーム２を含む。
【００７３】
段階７０３：ＵＥは単にＦＳ２でフレーム構造構成５によるＡＣＫ／ＮＡＣＫ及びＰＤＳＣＨの間のタイミング関係を適用するあらゆるＳＣＣ及びＰＣＣに対するＡＣＫ／ＮＡＣＫ情報をフィードバックする。一方、ＰＣＣは相変らず実際ＰＣＣのフレーム構造構成によるＡＣＫ／ＮＡＣＫとＰＤＳＣＨの間のタイミング関係を決定する。
【００７４】
この実施形態で、ＰＣＣはこの自分のフレーム構造構成を適用するＡＣＫ／ＮＡＣＫをフィードバックする。
【００７５】
さらに、この実施形態で、ｅＮＢ及びあらゆるＵＥはバンドルされたウインドウで特定サブフレームが幾つかのＣＣのアップリンクサブフレームであるとき、(この特徴は、構成されたＣＣで、サブフレームが少なくとも１つのＣＣのダウンリンクサブフレームであり、一方、図７でサブフレーム７のような、少なくとも１つのＣＣのアップリンクサブフレームである。) この実施形態はバンドルされたウインドウで特定サブフレームに対するどんなＡＣＫ／ＮＡＣＫ情報もフィードバックしない。
【００７６】
＜実施形態５＞
この実施形態で、ＵＥは他の帯域でそれぞれ３個のＣＣから構成されると仮定する。３個のＣＣの番号は(帯域Iで)ＣＣ０、(帯域IIで)ＣＣ１及び(帯域IIIで)ＣＣ２であると仮定する。最小化された隣接チャンネル干渉を考慮することに基づいて、ＣＣ０はフレーム構造構成１に適用して、ＣＣ１はフレーム構造構成３に適用し、ＣＣ２はフレーム構造構成０に適用する。ＡＣＫ／ＮＡＣＫサブフレームを決定する方法のために図８に示した概路図(ｓｃｅｎｅ ｓｃｈｅｍａｔｉｃ ｄｉａｇｒａｍ)を参照されたい。図８に示したように、方法は次を含む：
【００７７】
段階８００：ＵＥはＰＣＣ、ＳＣＣ０ 及びＳＣＣ１のフレーム構造構成による相違するフレーム構造構成を有する各ＳＣＣに対してＡＣＫ／ＮＡＣＫ及びＰＤＳＣＨの間のタイミング関係をそれぞれ決定する。これは特に次を含む：
【００７８】
段階８０１：ＵＥはアップリンク共通サブフレームの番号を決定する。即ち、ＰＣＣ及びＳＣＣ０のフレーム構造構成によるサブフレーム２で共通アップリンクサブフレームの番号を指定する。
【００７９】
段階８０２：ＵＥは構成、即ち、フレーム構造２(ＦＳ２；Ｆｒａｍｅ Ｓｔｒｕｃｔｕｒｅ ２)でフレーム構造構成４を選択する。これのアップリンクサブフレームは単に段階８０１の結果による既存の７種類のフレーム構造構成からサブフレーム２及びサブフレーム３を含む。
【００８０】
段階８０３：ＵＥはＰＣＣ及びＳＣＣ１のフレーム構造構成によるサブフレーム２、サブフレーム３、サブフレーム７及びサブフレーム８でアップリンク共通サブフレームの番号を決定する。
【００８１】
段階８０４：ＵＥは構成、即ち、フレーム構造２(ＦＳ２)でフレーム構造構成１を選択する。このアップリンクサブフレームは単に段階８０３の結果による既存の７種類のフレーム構造構成からサブフレーム２、３、７及び８を含む。
【００８２】
段階８０５：ＵＥは単にＳＣＣのために段階８０２及び８０４と決定されるフレーム構造構成によるＡＣＫ／ＮＡＣＫ及びＰＤＳＣＨの間のタイミング関係を適用する。即ち、ＵＥは決定されたフレーム構造構成４に対応するＡＣＫ／ＮＡＣＫ及びＰＤＳＣＨの間のタイミング関係が適用されるＳＣＣ０のためのＡＣＫ／ＮＡＣＫ情報をフィードバックし、フレーム構造構成１に対応するＡＣＫ／ＮＡＣＫ及びＰＤＳＣＨの間のタイミング関係を適用するＳＣＣ１のためのＡＣＫ／ＮＡＣＫ情報をフィードバックする。しかし、ＰＣＣは相変らずこのフレーム構造構成によるＡＣＫ／ＮＡＣＫ及びＰＤＳＣＨの間のタイミング関係を決定する。
【００８３】
上述した実施形態で、ＵＥが２ＰＣＣ以上に構成されるとき、ｅＮＢはＵＥにＲＲＣシグナリングを通じてＡＣＫ／ＮＡＣＫをフィードバックするためのＰＣＣの番号を通知する。
【００８４】
あらゆる上述した実施形態は例示を説明して、実際適用で、ＰＣＣは選択された構成に対応するＡＣＫ／ＮＡＣＫ及びＰＤＳＣＨの間のタイミング関係によるＡＣＫ／ＮＡＣＫ情報をフィードバックすることができるだけでなく、この自らのフレーム構造構成によるＡＣＫ／ＮＡＣＫ情報をフィードバックできる。さらに、バンドルされたウインドウで特定サブフレームのために、アップリンクデータサブフレームに対応するＡＣＫ／ＮＡＣＫは明確にＤＴＣ状態にマッピングされたり、或いは何のＡＣＫ／ＮＡＣＫ情報もフィードバックしないこともある。
【００８５】
図３で方法１のフローチャートに対応して、図９は本発明のＡＣＫ／ＮＡＣＫフィードバック方法２のフローチャートを示す。図９に示したように、流れは次を含む。
【００８６】
ブロック９０１：ｅＮＢは上位レベルシグナリングを通じてあらゆるＳＣＣ及びＰＣＣの構成された情報をＵＥに通知する。ＵＥのあらゆるＳＣＣ及びＰＣＣの構成された情報は次を含む：ＵＥのために構成された各ＣＣのフレーム構造構成がそれである。さらに、あらゆるＳＣＣ及びＰＣＣの番号をさらに含む。
【００８７】
ブロック９０２：ＵＥはｅＮＢから送信されたあらゆるＳＣＣ及びＰＣＣのフレーム構造構成の情報による一種のフレーム構造構成を決定する。
【００８８】
このブロックで、ＵＥはｅＮＢから送信されたＣＣの構成された情報による一種の以前バージョンと互換されるフレーム構造構成を固有するように決定することができる。ＵＥはｅＮＢから送信されたあらゆるＳＣＣ及びＰＣＣのフレーム構造構成の情報によって表１に示したような一種のフレーム構造構成を決定し、これは特に次を含む：
【００８９】
ある無線フレーム及びＵＥのために構成されたＣＣの情報で、２個のアップリンク及びダウンリンクサブフレームスイッチングポイントを含む構成は第１クラスの構成であり、他の構成は第２クラスの構成であることで仮定する。ＵＥの２種類の構成は構成Ａ及び構成Ｂである。
【００９０】
構成Ａ及び構成Ｂが同一クラスの構成に属するとき、さらに、構成Ａでアップリンクサブフレームの部分が構成Ｂのそれより大きいとき、構成Ｂが決定される。
【００９１】
構成Ａ及び構成Ｂが同一クラスの構成に属せず、構成Ａ及び構成Ｂのうちの一方が構成０であれば、構成Ａ及び構成Ｂで構成０を除いた構成が決定される。
【００９２】
構成Ａ及び構成Ｂが同一クラスの構成に属せず、構成Ａ及び構成Ｂの両者が構成０ではなく、それらのうちの一方が構成６であるとき、構成Ａ及び構成Ｂで構成６を除いた構成が決定される。
【００９３】
構成Ａ及び構成Ｂが同一クラスの構成に属せず、構成Ａ及び構成Ｂのうちの一方が構成５であるとき、構成５が決定される。
【００９４】
構成Ａ及び構成Ｂがそれぞれ構成１と構成３、或いは構成１と構成４であるとき、構成４が決定される。
【００９５】
構成Ａ及び構成Ｂが構成２と構成３、或いは構成２と構成４であるとき、構成５が決定される。
【００９６】
ブロック９０３：ＵＥは決定されたフレーム構造構成に対応するＡＣＫ／ＮＡＣＫ及びＰＤＳＣＨの間のタイミング関係を適用するＰＣＣ上のＳＣＣでＰＤＳＣＨに対応するＡＣＫ／ＮＡＣＫ情報をｅＮＢにフィードバックする。
【００９７】
さらに、ＵＥは決定された構成に対応するＡＣＫ／ＮＡＣＫ及びＰＤＳＣＨの間のタイミング関係に適用されるＰＣＣ上のＰＣＣでＰＤＳＣＨに対応するＡＣＫ／ＮＡＣＫ情報をｅＮＢにフィードバックする。代案的に、ＵＥはこの自分のフレーム構造構成に対応するＡＣＫ／ＮＡＣＫ及びＰＤＳＣＨの間のタイミング関係に適用されるＰＣＣ上のＰＣＣでＰＤＳＣＨに対応するＡＣＫ／ＮＡＣＫ情報をｅＮＢにフィードバックする。
【００９８】
ＵＥによって決定されたダウンリンクデータサブフレームのバンドルされたウインドウがアップリンクデータサブフレームを含むとき、アップリンクデータサブフレームに対応するＡＣＫ／ＮＡＣＫは明確にＤＴＸ状態にマッピングされたり、どんなＡＣＫ／ＮＡＣＫ情報もフィードバックしない。
【００９９】
この点で、本発明のＡＣＫ／ＮＡＣＫフィードバック方法の全体ワークフローは仕上げられる。
【０１００】
整理すれば、本発明の実施形態によって提供される無線通信システムでＡＣＫ／ＮＡＣＫフィードバック方法で、ＵＥは共通サブフレームが番号を決定する。これら全てはどんなＳＣＣ及びＰＣＣの構成されたフレーム構造構成によるどんな無線フレームのＰＣＣ 及びＳＣＣサブフレームでアップリンクサブフレームである。これのアップリンクフレームは単に既存の７種類のフレーム構造構成から共通サブフレームの決定された番号に対応するサブフレームを含み、選択された構成に対応するＡＣＫ／ＮＡＣＫ及びＰＤＳＣＨの間のタイミング関係を適用するＰＣＣ上のＳＣＣでＰＤＳＣＨに対応するＡＣＫ／ＮＡＣＫ情報をｅＮＢにフィードバックする。代案的に、ｅＮＢは上位レベルシグナリングを通じてあらゆるＳＣＣ及びＰＣＣの構成された情報をＵＥに通知する。ＵＥはｅＮＢから送信されたあらゆるＳＣＣ及びＰＣＣのフレーム構造構成の情報によってフレーム構造構成を決定し、決定されたフレーム構造構成に対応するＡＣＫ／ＮＡＣＫ及びＰＤＳＣＨの間のタイミング関係を利用するＰＣＣ上のＳＣＣでＰＤＳＣＨに対応するＡＣＫ／ＮＡＣＫ情報をｅＮＢにフィードバックする。
【０１０１】
さらに、ＵＥが多重ＣＣから構成され、少なくとも１つのＣＣのフレーム構造構成が他のＣＣのフレーム構造構成と相違するとき、本発明の方法はスケジューラーの既存のアルゴリズムを変更せずＣＣの構成されたフレーム構造構成によってアップリンクＡＣＫ／ＮＡＣＫ及びＰＤＳＣＨの間のタイミング関係を適応的に選択して決定することができる。従って、本発明のＡＣＫ／ＮＡＣＫフィードバック方法は相違するフレーム構造構成の帯域の間にキャリアアグリゲーションを効果的にサポートすることができ、ＵＥの増幅器の数を制限せず相違する通信システムの性能最適化及び共存を具現することができる。
前述したものは単に本発明の好ましい実施形態を説明したものであって、本発明の保護範囲を制限するために使用されるものではない。本発明の思想及び原理を外れないどんな修正、同等な代案及び改善も本発明の保護範囲に属する。
【図１】
2014529222.tif 000004
【図２】
2014529222.tif 000005
【図３】
2014529222.tif 000006
【図４】
2014529222.tif 000007
【図５】
2014529222.tif 000008
【図６】
2014529222.tif 000009
【図７】
2014529222.tif 000010
【図８】
2014529222.tif 000011
【図９】
2014529222.tif 000012
【国際調査報告】
2014529222.tif 000013
2014529222.tif 000014
2014529222.tif 000015